(57)【要約】【課題】ガタつきの発生を抑制し、ケース部材とカバー部材とを良好に接続できるロック機構を提供する。【解決手段】ロック機構は、ケース部材に設けられ、第１方向の一方側に突出する凸部と、カバー部材に設けられ、第１方向の他方側を向く開口を有する凹部とを備える。凸部は、第２方向の一方側を向く第１面と、第２方向の他方側を向く第２面と、第１面と第２面とを結ぶ第３面とを有する。凹部は、第１面と対向可能な位置に配置される第４面と、第４面と対向可能な位置に配置され、第２方向に関する第１面と第２面との第１距離より大きい第２距離だけ第４面と離れている第５面と、第５面と結ばれ、第３面と対向可能な位置に配置される第６面と、第４面と第６面とを結び、第４面から第６面に向かって、第５面に徐々に近付くように設けられた第７面とを有する。【選択図】図１
2010061963.tif 000002
【特許請求の範囲】
【請求項１】
ケース部材と、前記ケース部材に取り付けられるカバー部材とのロック機構であって、
前記ケース部材に設けられ、第１方向の一方側に突出する凸部と、
前記カバー部材に設けられ、該カバー部材が前記ケース部材の少なくとも一部に支持されたときに、前記凸部の少なくとも一部が配置されるように、前記第１方向の他方側を向く開口を有する凹部と、を備え、
前記凸部は、
少なくとも一部が前記第１方向と交差する第２方向の一方側を向く第１面と、
前記第２方向の他方側を向く第２面と、
前記第１面と前記第２面とを結ぶ第３面と、を有し、
前記凹部は、
前記第１面の少なくとも一部と対向可能な位置に配置される第４面と、
前記第４面の少なくとも一部と対向可能な位置に配置され、前記第２方向に関する前記第１面と前記第２面との第１距離より大きい第２距離だけ前記第４面と離れている第５面と、
前記第５面と結ばれ、前記第３面の少なくとも一部と対向可能な位置に配置される第６面と、
前記第４面と前記第６面とを結び、前記第４面から前記第６面に向かって、前記第５面に徐々に近付くように設けられた第７面と、を有するロック機構。
【請求項２】
前記第２面及び前記第３面は、前記第１方向に関する前記第１面の一方側のエッジより、前記第１方向の他方側に配置される請求項１記載のロック機構。
【請求項３】
前記凹部に前記凸部を入れるとき、及び前記凹部から前記凸部を出すときの少なくとも一方において、前記凸部と前記凹部とがほぼ前記第１方向に相対的に移動され、
前記凸部が前記凹部に配置されたとき、前記第７面と、前記第１面と前記第３面とのコーナーとが接触する請求項１又は２記載のロック機構。
【請求項４】
前記コーナーは、尖っている請求項３記載のロック機構。
【請求項５】
前記第７面と前記コーナーとが接触しているとき、前記第４面は前記第１面と第１ギャップを介して対向し、前記第５面は前記第２面と第２ギャップを介して対向し、前記第６面は前記第３面と第３ギャップを介して対向する請求項３又は４記載のロック機構。
【請求項６】
前記第１面と前記第３面とがなす角度は、直角若しくは鋭角である請求項１〜５のいずれか一項記載のロック機構。
【請求項７】
前記第７面は、平坦な斜面である請求項１〜６のいずれか一項記載のロック機構。
【請求項８】
前記第７面の少なくとも一部は、曲面である請求項１〜６のいずれか一項記載のロック機構。
【請求項９】
ケース部材と、前記ケース部材に取り付けられるカバー部材とを有する情報端末装置であって、
請求項１〜８のいずれか一項記載のロック機構を介して、前記ケース部材に前記カバー部材がリリース可能に支持される情報端末装置。
【発明の詳細な説明】
【技術分野】
【０００１】
本発明は、ケース部材とカバー部材とのロック機構、及び情報端末装置に関する。
【背景技術】
【０００２】
携帯電話機等の情報端末装置は、例えば電池を支持するケース部材と、その電池をカバーするカバー部材とを備えている。ケース部材とカバー部材とは、ロック機構を介して接続される。下記特許文献には、ケース部材とカバー部材とのロック機構に関する技術の一例が開示されている。
【特許文献１】特開平１１−２８８７００号公報
【発明の開示】
【発明が解決しようとする課題】
【０００３】
ロック機構に求められる性能の一つとして、カバー部材をケース部材に取り付けたとき、ガタつきの発生が抑制され、良好に接続されることが挙げられる。ガタつきが発生すると、例えばケース部材からカバー部材が外れ易くなったり、ケース部材にカバー部材を取り付けるときの操作性が低下したりする問題が発生する可能性がある。
【０００４】
本発明は、ガタつきの発生を抑制し、ケース部材とカバー部材とを良好に接続できるロック機構、及びそのロック機構を備えた情報端末装置を提供することを目的とする。
【課題を解決するための手段】
【０００５】
本発明の第１の態様に従えば、ケース部材と、前記ケース部材に取り付けられるカバー部材とのロック機構であって、前記ケース部材に設けられ、第１方向の一方側に突出する凸部と、前記カバー部材に設けられ、該カバー部材が前記ケース部材の少なくとも一部に支持されたときに、前記凸部の少なくとも一部が配置されるように、前記第１方向の他方側を向く開口を有する凹部と、を備え、前記凸部は、少なくとも一部が前記第１方向と交差する第２方向の一方側を向く第１面と、前記第２方向の他方側を向く第２面と、前記第１面と前記第２面とを結ぶ第３面と、を有し、前記凹部は、前記第１面の少なくとも一部と対向可能な位置に配置される第４面と、前記第４面の少なくとも一部と対向可能な位置に配置され、前記第２方向に関する前記第１面と前記第２面との第１距離より大きい第２距離だけ前記第４面と離れている第５面と、前記第５面と結ばれ、前記第３面の少なくとも一部と対向可能な位置に配置される第６面と、前記第４面と前記第６面とを結び、前記第４面から前記第６面に向かって、前記第５面に徐々に近付くように設けられた第７面と、を有するロック機構が提供される。
【０００６】
本発明の第２の態様に従えば、ケース部材と、前記ケース部材に取り付けられるカバー部材とを有する情報端末装置であって、第１の態様のロック機構を介して、前記ケース部材に前記カバー部材がリリース可能に支持される情報端末装置が提供される。
【発明の効果】
【０００７】
本発明によれば、ガタつきの発生を抑制し、ケース部材とカバー部材とを良好に接続できる。
【発明を実施するための最良の形態】
【０００８】
以下、本発明の実施形態について図面を参照しながら説明する。以下の説明においては、ＸＹＺ直交座標系を設定し、このＸＹＺ直交座標系を参照しつつ各部の位置関係について説明する。所定面内の所定方向をＸ軸方向、所定面内においてＸ軸方向と直交する方向をＹ軸方向、Ｘ軸方向及びＹ軸方向のそれぞれと直交する方向をＺ軸方向とする。また、Ｘ軸方向の一方側を適宜、＋Ｘ側、と称し、他方側を適宜、−Ｘ側、と称する。同様に、Ｙ軸方向の一方側及び他方側のそれぞれを適宜、＋Ｙ側及び−Ｙ側、と称し、Ｚ軸方向の一方側及び他方側のそれぞれを適宜、＋Ｚ側及び−Ｚ側、と称する。
【０００９】
＜第１実施形態＞
第１実施形態について説明する。図１は、第１実施形態に係る情報端末装置６０の一例を示す斜視図、図２は、平面図、図３は、図２のＡ−Ａ線断面矢視図である。本実施形態においては、一例として、情報端末装置６０が、携帯電話機である場合を例にして説明する。
【００１０】
図１、図２、及び図３において、情報端末装置６０は、本体となるケース部材３０と、そのケース部材３０に取り付けられるカバー部材４０と、ケース部材３０とそのケース部材３０に取り付けられたカバー部材４０との位置関係を固定するロック機構５０とを備えている。本実施形態において、ケース部材３０は、電池６１を支持する。本実施形態において、カバー部材４０は、電池６１をカバーする。
【００１１】
本実施形態において、ケース部材３０は、カバー部材４０を支持する支持部３５を有する。ロック機構５０は、ケース部材３０と、そのケース部材３０の支持部３５に支持されるカバー部材４０との位置関係を固定する。カバー部材４０は、ロック機構５０を介して、ケース部材３０の支持部３５にリリース可能に支持される。
【００１２】
ケース部材３０は、外面３１を有する。カバー部材４０は、外面４１を有する。本実施形態においては、カバー部材４０がケース部材３０の支持部３１に支持され、ロック機構５０によって、ケース部材３０とカバー部材４０との位置関係が固定された状態において、ケース部材３０の外面３１と、カバー部材４０の外面４１とが、ほぼ同一平面内に配置される（ほぼ面一である）。本実施形態において、ケース部材３０の外面３１及びカバー部材４０の外面４１は、−Ｘ側を向き、ＹＺ平面とほぼ平行である。
【００１３】
図４は、図３の領域Ｂを拡大した側断面図、図５は、図４の一部を拡大した図である。図３及び図４に示すように、情報端末装置６０は、ケース部材３０と、そのケース部材３０に取り付けられるカバー部材４０とのロック機構５０とを備えている。
【００１４】
ロック機構５０は、ケース部材３０に設けられ、＋Ｘ側に突出する凸部１０と、カバー部材４０に設けられ、そのカバー部材４０がケース部材３０の支持部３５に支持されたときに、凸部１０の少なくとも一部が配置されるように、−Ｘ側を向く開口２１を有する凹部２０とを備えている。
【００１５】
ケース部材３０は、−Ｚ側に延びるロッド部３２を有する。凸部１０は、ロッド部３２の先端（−Ｚ側の端）に配置されている。凸部１０は、ロッド部３２の先端において、＋Ｘ側に突出するように配置されている。
【００１６】
カバー部材４０は、少なくとも一部が＋Ｚ側に延びるロッド部４２を有する。凹部２０は、ロッド部４２の一部に設けられている。本実施形態において、ロッド部４２の先端（＋Ｚ側の端）が曲がっており、屈曲部を形成する。凹部２０は、その屈曲部の一部に設けられている。
【００１７】
凸部１０は、少なくとも一部が＋Ｚ側を向く第１面１と、−Ｚ側を向く第２面２と、第１面１と第２面２とを結ぶ第３面３とを有する。本実施形態において、第１面１は、ＸＹ平面とほぼ平行な平面である。第２面２は、ＸＹ平面とほぼ平行な平面部２Ａと、ケース部材３０（ロッド部３２）の外面３１と平面部２Ａとの間に配置される曲面部２Ｂとを含む。
【００１８】
第３面３は、第２面２と結ばれた曲面部３Ａと、−Ｚ側の端が曲面部３Ａと結ばれた斜面部３Ｂと、斜面３Ｂの＋Ｚ側の端に結ばれた曲面部３Ｃと、曲面部３Ｃと第１面１とを結び、ＹＺ平面とほぼ平行な平面部３Ｄとを含む。
【００１９】
凹部２０は、第１面１の少なくとも一部と対向可能な位置に配置される第４面４と、第４面４の少なくとも一部と対向可能な位置に配置され、Ｚ軸方向に関する第１面１と第２面２との第１距離Ｌ１より大きい第２距離Ｌ２だけ第４面４と離れている第５面５と、第５面５と結ばれ、第３面３の少なくとも一部と対向可能な位置に配置される第６面６と、第４面４と第６面６とを結び、第４面４から第６面６に向かって、第５面５に徐々に近付くように設けられた第７面７とを有する。本実施形態において、Ｘ軸方向に関する第４面４のサイズは、第１面１のサイズより小さい。
【００２０】
第４面４は、ＸＹ平面とほぼ平行な平面部４Ａと、開口２１の周囲の少なくとも一部に配置された周囲面４３と平面部４Ａとの間に配置された曲面部４Ｂとを含む。カバー部材４０（ロッド部４２）の周囲面４３と、ケース部材３０（ロッド部３２）の内面３３とは、ギャップＧａを介して対向する。本実施形態において、周囲面４３及び内面３３のそれぞれは、ＹＺ平面とほぼ平行である。
【００２１】
第５面５は、ＸＹ平面とほぼ平行な平面部５Ａと、カバー部材４０の外面４１と平面部５Ａとの間に配置される曲面部５Ｂとを含む。
【００２２】
第６面６は、ＹＺ平面とほぼ平行な平面部６Ａと、平面部６Ａと第５面５とを結ぶ曲面部６Ｂとを含む。第５面５の＋Ｘ側の端と、第６面６の−Ｚ側の端とが結ばれる。
【００２３】
第７面７は、第４面４の＋Ｘ側の端と、第６面６の＋Ｚ側の端との間に配置される。第７面７は、第４面４の＋Ｘ側の端から＋Ｘ方向に向かって、−Ｚ側に向かって徐々に傾くように設けられている。本実施形態において、第７面７の少なくとも一部は、曲面を含む。本実施形態において、ＸＺ平面と平行な第７面７の断面形状は、円弧状である。
【００２４】
本実施形態において、凸部１０の第２面２及び第３面３は、第１面１の＋Ｘ側のエッジＥより、−Ｘ側に配置される。また、本実施形態においては、第１面１と第３面３とがなす角度θは、ほぼ直角である。なお、第１面１と第３面３とがなす角度θが、鋭角でもよい。
【００２５】
したがって、本実施形態においては、凸部１０のうち、第１面１と第３面３とのコーナーＣが、第７面７に最も近い位置に配置される。
【００２６】
図４及び図５に示すように、凸部１０が凹部２０に配置されたとき、第７面７と、第１面１と第３面３とのコーナーＣとが接触する。本実施形態においては、第１面１と第３面３とがなす角度θは、ほぼ直角（又は鋭角）であり、コーナーＣは尖っている。したがって、本実施形態においては、凸部１０と凹部２０とは、第７面７とコーナーＣとにおいて、線接触する。
【００２７】
第７面７とコーナーＣとが接触しているとき、第４面４は、第１面１と第１ギャップＧ１を介して対向し、第５面５は、第２面２と第２ギャップＧ２を介して対向し、第６面６は、第３面３と第３ギャップＧ３を介して対向する。このように、本実施形態においては、凸部１０は、凹部２０の第７面７に対して、コーナーＣの部分だけで支持される。
【００２８】
凹部２０から凸部１０を出すとき、すなわち、ロック機構５０によるロックを解除するとき、例えば、図１に示すカバー部材４０の一部分Ｐを押し込む。これにより、図６に示すように、カバー部材４０のロッド部４２が撓み、凸部１０に対して凹部２０がほぼ＋Ｘ方向に移動する。これにより、凹部２０から凸部１０が出る。ロッド部４２が撓んだ状態で、カバー部材４０を−Ｚ方向（図６中、矢印Ｒ参照）に移動することによって、ケース部材３０からカバー部材４０を外すことができる。
【００２９】
また、凹部２０に凸部１０を入れるとき、すなわち、ロック機構５０でロックするとき、カバー部材４０の一部分Ｐを押し込んで、カバー部材４０のロッド部４２を撓ませた状態で、ケース部材３０に対してカバー部材４０を＋Ｚ方向に移動して、凸部１０と凹部２０の開口２１とを対向させる。そして、一部分Ｐを押し込む動作を解除することによって、ロッド部４２の弾性力の作用により、凸部１０に対して凹部２０がほぼ−Ｘ方向に移動する。これにより、凹部２０に凸部１０を入れることができる。
【００３０】
以上説明したように、本実施形態によれば、凹部２０の第４面４と第５面５との第２距離Ｌ２を、凸部１０の第１面１と第２面２との第１距離Ｌ１より大きくしたので、凸部１０に対して開口２１を大きくすることができる。これにより、凸部１０を凹部２０に入れる動作、及び凹部２０から凸部１０を出す動作を円滑に行うことができる。
【００３１】
また、第４面４の＋Ｘ側の端から＋Ｘ方向に向かって−Ｚ方向に徐々に曲がる第７面７を設けたので、凹部２０に凸部１０を入れたとき、凹部２０の内側に配置された凸部１０の一部を第７面７で支持することができる。したがって、ガタつきの発生を抑制しつつ、ケース部材３０とカバー部材４０とを良好に接続することができる。
【００３２】
このように、本実施形態においては、凸部１０を凹部２０に入れる動作、及び凹部２０から凸部１０を出す動作を円滑に行いつつ、凹部２０に凸部１０を入れたとき、その凸部１０を第７面７で支持することができる。
【００３３】
また、本実施形態においては、第２面２及び第３面３が、Ｘ軸方向に関する第１面１の＋Ｘ側のエッジＥより、−Ｘ側に配置されているので、凹部２０に凸部１０を配置するために凸部１０に対して凹部２０を−Ｘ方向に移動することによって、その第１面１のエッジＥと、その第１面１のエッジＥに最も近い位置に配置された凹部２０の第７面７とを接触させることができる。
【００３４】
また、本実施形態においては、第４面４は、第１面１と第１ギャップＧ１を介して対向し、第５面５は、第２面２と第２ギャップＧ２を介して対向し、第６面６は、第３面３と第３ギャップＧ３を介して対向しており、凸部１０は、凹部２０の第７面７に対して、コーナーＣの部分だけで支持される。本実施形態においては、第７面７とコーナーＣとは線接触する。このように、第７面７とコーナーＣとの接触面積は十分に小さいので、凹部２０に凸部１０を入れるとき、あるいは凹部２０から凸部１０を出すときの抵抗（接触抵抗）を十分に小さくすることができる。したがって、ガタつきの発生を抑制しつつ、ロック動作、及びロック解除動作を円滑に実行することができる。
【００３５】
＜第２実施形態＞
次に、第２実施形態について説明する。以下の説明において、上述の実施形態と同一又は同等の構成部分については同一の符号を付し、その説明を簡略若しくは省略する。
【００３６】
図７は、第２実施形態に係るロック機構５０Ｂの一例を示す図である。図７において、ロック機構５０Ｂは、ケース部材３０に設けられた凸部１０と、カバー部材４０に設けられた凹部２０とを有する。
【００３７】
凸部１０は、＋Ｚ側を向く第１面１と、−Ｚ側を向く第２面２と、第１面１と第２面２とを結ぶ第３面３とを有する。
【００３８】
凹部２０は、第１面１の少なくとも一部と対向可能な位置に配置される第４面４と、第４面４の少なくとも一部と対向可能な位置に配置される第５面５と、第５面５と結ばれた第６面６と、第４面４と第６面６とを結び、第４面４から第６面６に向かって、第５面５に徐々に近付くように設けられた第７面７１とを有する。
【００３９】
本実施形態において、第７面７１は、第４面４から第６面６に向かって、第５面５に徐々に近付くように傾斜した斜面である。第７面７１は、平坦である。
【００４０】
本実施形態においても、ガタつきの発生を抑制しつつ、ケース部材３０とカバー部材４０とのロック動作、及びロック解除動作を円滑に実行することができる。
【図面の簡単な説明】
【００４１】
【図１】第１実施形態に係る情報端末装置の一例を示す斜視図である。
【図２】第１実施形態に係る情報端末装置の一例を示す平面図である。
【図３】図２のＡ−Ａ線断面矢視図である。
【図４】第１実施形態に係るロック機構の一例を示す図である。
【図５】図４の拡大図である。
【図６】第１実施形態に係るロック機構の動作の一例を示す図である。
【図７】第２実施形態に係るロック機構の一例を示す図である。
【符号の説明】
【００４２】
１…第１面、２…第２面、３…第３面、４…第４面、５…第５面、６…第６面、７…第７面、１０…凸部、２０…凹部、２１…開口、３０…ケース部材、３１…支持部、４０…カバー部材、５０…ロック機構、６０…情報端末装置、７１…第７面、Ｃ…コーナー、Ｇ１…第１ギャップ、Ｇ２…第２ギャップ、Ｇ３…第３ギャップ、Ｅ…エッジ
【図１】
2010061963.tif 000003
【図２】
2010061963.tif 000004
【図３】
2010061963.tif 000005
【図４】
2010061963.tif 000006
【図５】
2010061963.tif 000007
【図６】
2010061963.tif 000008
【図７】
2010061963.tif 000009